(57)【要約】【課題】伝送チャンネルを介して受信機に結合された送信機を有する、伝送システムを提供する。【解決手段】前記送信機はコード化されたシンボルをソースシンボルから導出するチャンネルエンコーダを有する。前記受信機は前記伝送チャネルから受けた信号から前記ソースシンボルを再生するチャンネルデコーダを有する。本発明に拠れば、前記送信機はチャンネルエンコーダで使用されるコーディング特性をコード化し前記受信機に送信する分離されたエンコーダを有する。受信機は伝送媒体からコード化されたコーディング特性を受信するようにされている。そして、分離されたチャンネルデコーダはコード化されたコーディング特性をデコードする。この分離されたチャンネルデコーダにより供給されたコーディング特性が前記チャンネルデコーダのコード化特性を設定するチャンネルデコーダにおいて設定手段へと受け渡される。【選択図】図１
2010051014.tif 000002
【特許請求の範囲】
【請求項１】
伝送チャンネルを介して受信機に結合された送信機を有する伝送システムであって、前記送信機がソースシンボルをコード化シンボルにコード化するチャンネルエンコーダを備え、前記受信機が前記伝送チャンネルから受信されコード化されたシンボルから再生ソースシンボルを導出するチャンネルデコーダを備え、前記伝送システムが前記チャンネルエンコーダ及びチャンネルデコーダの少なくとも一つのコード化特性を設定するためのコード化特性設定手段を有する伝送システムにおいて、前記送信機が前記少なくとも一つのコード化特性からコード化されたコード化特性を得るさらなるチャンネルエンコーダを有し、前記送信機が前記コード化されたコード化特性を前記受信機に送信し、前記受信機が前記コード化されたコード化特性から少なくとも一つのコード化特性を得るさらなるチャンネルデコーダを有し、該受信機が前記少なくとも一つのコード化特性に従って前記チャンネルデコーダの前記少なくとも一つのコード化特性を設定することを特徴とする伝送システム。
【請求項２】
請求項１に記載の伝送システムにおいて、前記さらなるチャンネルエンコーダはブロックエンコーダを有し、前記さらなるチャンネルデコーダはブロックデコーダを有することを特徴とする伝送システム。
【請求項３】
請求項１又は２に記載の伝送システムにおいて、前記コード化シンボルがフレームに配列され、前記送信機が前記コード化されたコード化特性を少なくとも２つの部分に分離し、前記少なくとも２つの部分を、連続するフレームで送信することを特徴とする伝送システム。
【請求項４】
請求項１乃至３のいずれか１項に記載の伝送システムにおいて、
前記伝送システムは、前記受信機における前記チャンネルデコーダから伝送品質尺度を導出する伝送品質決定手段と、さらなる伝送チャンネルを介して前記品質尺度を前記送信機へ送信する手段と、を有することを特徴とする伝送システム。
【請求項５】
ソースシンボルをコード化シンボルへコード化するチャンネルエンコーダと、前記チャンネルエンコーダの少なくとも一つのコード化特性を設定する特性設定手段と、を有する送信機において、該送信機が前記少なくとも一つのコード化特性からコード化されたコード化特性を得るさらなるチャンネルエンコーダを有し、前記送信機が前記コード化されたコード化特性を送信することを特徴とする送信機。
【請求項６】
再生ソースシンボルを受信されたコード化シンボルから導出するチャンネルデコーダと、前記チャンネルデコーダの少なくとも一つのコード化特性を設定するコード化特性設定手段とを有する受信機において、該受信機が少なくとも一つのコード化特性を、受信されコード化されたコード化特性から得るさらなるチャンネルデコーダを有し、及び前記受信機が前記少なくとも一つのコード化特性に従って前記チャンネルデコーダの前記少なくとも一つのコード化特性を設定することを特徴とする受信機。
【請求項７】
ソースシンボルをコード化シンボルへとコード化するチャンネルエンコーダと、該チャンネルエンコーダの少なくとも一つのコード化特性を設定する特性設定手段と、を有するＩＣにおいて、該ＩＣはコード化されたコード化特性を、前記少なくとも一つのコード化特性から得るさらなるチャンネルエンコーダを有し、及び前記ＩＣは前記コード化されたコード化特性を伝送することを特徴とするＩＣ。
【請求項８】
再生ソースシンボルを、受信されコード化されたシンボルから導出するチャンネルデコーダと、該チャンネルデコーダの少なくとも一つのコード化特性を設定するコード化特性設定手段と、を有するＩＣにおいて、該ＩＣが少なくとも一つのコード化特性を受信されかつコード化されたコード化特性から得るさらなるチャンネルデコーダを有し、前記ＩＣが前記少なくとも一つのコード化特性に従って前記チャンネルデコーダの前記少なくとも一つのコード化特性を設定することを特徴とするＩＣ。
【請求項９】
ソースシンボルをコード化シンボルにコード化し、該コード化シンボルを伝送チャンネルを介して送信するステップと、該コード化シンボルを前記伝送チャンネルから受信するステップと、再生ソースシンボルを前記伝送チャネルから受信した前記コード化シンボルから導出するステップと、チャンネルエンコーダ及びチャンネルデコーダの少なくとも一つのコード化特性を設定するステップと、を有する伝送方法において、該方法がさらに、コード化されたコード化特性を前記少なくとも一つのコード化特性から得るステップと、前記コード化されたコード化特性を前記伝送チャンネルを介して送信するステップと、前記コード化されたコード化特性を前記伝送チャンネルから受信するステップと、前記少なくとも一つのコード化特性を前記コード化されたコード化特性から得るステップと、前記少なくとも一つのコード化特性に従って前記チャンネルデコーダの前記少なくとも一つのコード化特性を設定するステップと、をさらに有することを特徴とする方法。
【請求項１０】
ソースシンボルをコード化されたシンボルにコード化するステップと、少なくとも一つのコード化特性を設定するステップと、
を有する方法において、該方法が、コード化されたコード化特性を前記少なくとも一つのコード化特性から得るステップと、前記コード化されたコード化特性を送信するステップとを有することを特徴とする方法。
【請求項１１】
再生ソースシンボルを受信されたコード化シンボルから導出し、少なくとも一つのコード化特性を設定する方法において、該方法が少なくとも一つのコード化特性を受信されコード化されたコード化特性から得るステップと、前記少なくとも一つのコード化特性に従ってチャンネルデコーダの少なくとも一つのコード化特性を設定するステップとを有することを特徴とする方法。
【発明の詳細な説明】
【技術分野】
【０００１】
本発明は、伝送チャンネルを介して受信機に結合された送信機を有するような伝送システムに係り、前記送信機がソースシンボルをコード化（符号化）シンボルにコード化するチャンネルエンコーダを有し、前記受信機が前記伝送チャンネルから受信されたコード化シンボルから、再生ソースシンボルを導出するソースデコーダ（チャンネルデコーダ）を有し、前記伝送システムは前記チャンネルエンコーダ及びチャンネルデコーダの少なくとも一つのコード化特性を設定するコード化特性設定手段を有するような伝送システムに関する。
【０００２】
また、本発明は斯様な伝送システムに使用するための送信機及び受信機にも関する。更に、本発明は伝送方法にも関する。
【背景技術】
【０００３】
上記のような伝送システムは、伝送チャンネルの品質が大幅な変動を示すような用途において使用することができる。このような伝送チャンネル上で実質上エラー無しの伝送を可能にするために、送信機においては、ソースシンボルがチャンネルエンコーダを用いてエラー訂正及び／又はエラー検出能力を有するエラー訂正コードに従いコード化される。受信機においては、該ソースシンボルはチャンネルデコーダにより再生される。有効なコードは、たたみ込みコード及びリードソロモンコードのような幾つかの型式のブロックコードを含む。たたみ込みコードとブロックコードとの組合せも、しばしば、用いられる。
【０００４】
斯様なコードのソースシンボル数とチャンネルシンボル数との間の比は、該コードのレートと呼ばれる。このようなコードのエラー訂正能力は、当該コードのレートに大きく依存する。大きく変化するような伝送品質を備える伝送チャンネルの場合は、使用されるチャンネルコードのレートは、最悪のチャンネル条件においても実質上エラー無しの伝送を得られるように選択されねばならない。これは、伝送品質が高い場合に、有効な伝送能力の損失に繋がる。
【０００５】
この伝送能力の損失を防止するために、上記伝送システムは、少なくとも１つのコード化特性、例えばチャンネルエンコーダのレートを伝送品質に応じて設定することができる。
【０００６】
さらに、伝送されるべきソースシンボルのタイプに応じて前記チャンネルエンコーダ及びデコーダのコード化特性を設定することが望ましいとされうることがさらに認められる。例えば、コンピュータのファイルを表すデータ信号の伝送は、１０−１０未満のビットエラーレートを必要とし、デジタル化された音声信号の伝送は、１０−４未満のビットエラーレートを必要としうる。
【発明の概要】
【発明が解決しようとする課題】
【０００７】
本発明により解決される課題は、チャンネルエンコーダの少なくとも一つの特性の変化を、それをデコード（復号化）するために受信機にどのように知らせるかにある。
【課題を解決するための手段】
【０００８】
この課題を解決するために、本発明の伝送システムは、前記送信機が前記少なくとも一つのコード化特性からコード化されたコード化特性を得るさらなるチャンネルエンコーダを有し、前記送信機が前記コード化されたコード化特性を前記受信機に送信し、前記受信機が前記コード化されたコード化特性から前記少なくとも一つのコード化特性を得るさらなるチャンネルデコーダを有し、前記受信機が前記少なくとも一つのコード化特性に従って前記チャンネルデコーダの前記少なくとも一つのコード化特性を設定することを特徴とする。
【０００９】
前記少なくとも一つのコード化特性を伝送する別のチャンネルを使用することによって、このコード化特性の伝送が、迅速に変化するチャンネル条件の下で仕損じるかもしれない（主な）チャンネルコード化方法に依存しないようになる。一般には、少なくとも一つのコード化特性を伝送するのに必要とされる情報量は大変少ないので、大変強大なエラー訂正コード化方法がさらなるチャンネルエンコーダの中で使用されうる。
【００１０】
本発明の実施例は、さらなるチャンネルエンコーダがブロックエンコーダを有し、さらなるチャンネルデコーダがブロックデコーダを有することを特徴とする。
【００１１】
特に、伝送される情報量が少ない場合に、ブロックエンコーダとブロックデコーダとの組み合わせの使用は容易なデコードをなしうる。
【００１２】
本発明のさらなる実施例は、前記コード化シンボルをフレームに配列し、前記送信機が前記コード化されたコード化特性を少なくとも２つの部分に分割し、前記少なくとも二つの部分を連続するフレームで伝送することを特徴とする。
【００１３】
連続するフレームで伝送される少なくとも２つの部分に前記コード化されたコード化特性を分割することにより、さらに増加したエラー訂正能力を得るためにより長いコードワードを選ぶことが可能となる。
【００１４】
本発明のさらなる実施例は、前記伝送システムが、伝送品質尺度を前記受信機における前記チャンネルデコーダから引き出す伝送品質を決定する手段、及びさらなる伝送チャンネルを介して前記品質尺度を前記送信機へ伝送する手段を有することを特徴とする。
【００１５】
前記受信機から前記送信機への戻りリンクを使用することによって、前記送信機における伝送品質を得ることが容易になる。同様に、全二重リンク（full  duplex  link）上で伝送品質依存チャンネルコード化を使用することも可能である。
【図面の簡単な説明】
【００１６】
【図１】本発明による伝送システムである。
【図２】図１による伝送システムにおけるフレーム構造の使用法を示す。
【発明を実施するための形態】
【００１７】
以下、本発明を添付図面を参照して説明する。
【００１８】
図１による伝送システムは３つの重要な構成要素を有し、これらはＴＲＡＵ（トランスコーダ及びレートアダプタユニット）２、ＢＴＳ（基地送受信局）４及び移動局６である。ＴＲＡＵ２は、Ａビス（A-bis）インターフェース８を介してＢＴＳ４に結合されている。該ＢＴＳ４は、大気インターフェース１０を介して移動ユニット６に結合されている。
【００１９】
ここでは移動ユニット６に送信されるべき音声信号である主信号は、音声エンコーダ１２に供給される。ソースシンボルとも呼ばれるコード化された音声信号を帯びる該音声エンコーダ１２の第１出力端は、上記Ａビスインターフェース８を介してチャンネルエンコーダ１４に結合されている。背景雑音レベル指示子ＢＤを帯びる音声エンコーダ１２の第２出力端は、システムコントローラ１６の入力端に結合されている。ここではダウンリンクレート割当信号Ｒｄであるようなコード化特性を伝送する該システムコントローラ１６の第１出力端は、音声エンコーダ１２に結合されると共に、前記Ａビスインターフェースを介して、チャンネルエンコーダ１４内のコード化特性設定手段２５と、ここではブロックコーダ１８である他のチャンネルエンコーダとに結合されている。アップリンクレート割当信号Ｒｕを伝送するシステムコントローラ１６の第２出力端は、チャンネルエンコーダ１４の第２入力端に結合されている。２ビットのレート割当信号Ｒｕは、２つの連続するフレームにわたりビット毎に伝送される。レート割当信号Ｒｄ及びＲｕは、ダウンリンク及びアップリンク伝送システムをＲｄ及びＲｕにより表されるコード化特性で各々動作させるリクエストを構成する。
【００２０】
移動局６に伝送されるＲｄの値は、レート割当信号Ｒｕにより表される所定の系列のコード化特性をブロックエンコーダ１８、チャンネルエンコーダ１４及び音声エンコーダ１２に課することができる、コード化特性系列化手段１３により覆すことができることが分かる。この所定の系列は、伝送フレームに追加スペースを要することなく、移動局６に追加情報を伝送するために使用することができる。２以上の所定の系列のコード化特性を使用することが可能である。これら所定の系列のコード化特性の各系列は、別々の補助信号値に対応する。
【００２１】
システムコントローラ１６はＡビスインターフェースからアップリンク及びダウンリンクに関する大気インターフェース１０（無線チャンネル）の品質を示す品質尺度Ｑｕ及びＱｄ'を受信する。品質尺度Ｑｕは複数の閾レベルと比較され、この比較の結果はシステムコントローラ１６により、アップリンクの音声エンコーダ３６とチャンネルエンコーダ３８との間の利用可能なチャンネル容量を分割するために使用される。信号Ｑｄ'はローパスフィルタ２２によりフィルタされ、続いて複数の閾値と比較される。該比較の結果は、音声エンコーダ１２とチャンネルエンコーダ１４との間の利用可能なチャンネル容量を分割するために使用される。アップリンク及びダウンリンクに関しては、音声エンコーダ１２とチャンネルエンコーダ１４との間のチャンネル容量の４つの異なる分割の組合せが可能である。これらの可能性が下表に示される。
【表１】
2010051014.tif 000003
【００２２】
表１から、音声エンコーダ１２に割り当てられるビットレート及び前記チャンネルエンコーダのレートはチャンネル品質に伴い増加することが分かる。これは、より良好なチャンネル条件においては、上記チャンネルエンコーダは低いビットレートを用いて所要の伝送品質（フレームエラーレート）を得ることができる故に可能となる。上記チャンネルエンコーダの大きなレートにより節約されたビットレートは、より良好な音声品質を得るために、該ビットレートを音声エンコーダ１２に割り当てることにより利用される。ここでは、前記コード化特性がチャンネルエンコーダ１４のレートであることが分かる。コード化特性設定手段２５は、チャンネルエンコーダ１４のレートを、システムコントローラ１６により供給されるコード化特性に従って設定するよう構成されている。
【００２３】
悪いチャンネル条件の下では、上記チャンネルエンコーダは、所要の伝送品質を得るために、より低いレートを有する必要がある。該チャンネルエンコーダは、８ビットのＣＲＣが付加される音声エンコーダ１２の出力ビットをコード化するような可変レートのたたみ込み（重畳）エンコーダであろう。該可変レートは、異なる基本レートを有する異なるたたみ込みコードを用いることにより、又は一定の基本レートのたたみ込みコードのパンクチャ処理（puncturing）を用いることにより得ることができる。好ましくは、これらの方法の組合せが使用される。
【００２４】
下に示す表２には、表１に示したたたみ込みコードの特性が示されている。これらの全てのたたみ込みコードは５に等しい値νを有している。
【表２】
2010051014.tif 000004
【００２５】
表２において、値Ｇｉは生成多項式を表している。生成多項式Ｇ(n)は：
【数１】
2010051014.tif 000005
により定義される。式（Ａ）において、丸で囲む十字記号はモジュロ２加算である。また、ｉは系列ｇ０，ｇ１，…ｇν−１，ｇνの８進表記である。
【００２６】
異なるコードの各々に関して、当該コードに使用される生成多項式が、対応するセル内の数により示されている。該対応するセル内の数は、ソースシンボルのうちのどれに関して対応する生成多項式が考慮されているかを示す。更に、上記数は、上記多項式を使用することにより導出されるコード化されたシンボルのソースシンボルの系列における位置を示す。各桁は、指示された生成多項式を用いて導出されたチャンネルシンボルの、チャンネルシンボルの系列における位置を示す。レート1/2コードに関しては、生成多項式５７及び６５が使用される。各ソースシンボルに関しては、先ず多項式６５により計算されたチャンネルシンボルが送信され、次いで生成多項式５７によるチャンネルシンボルが送信される。同様の方法により、レート1/4コードに対するチャンネルシンボルを決定するために使用されるべき多項式は、表２から決定することができる。その他のコードは、パンクチャ処理された、たたみ込みコードである。該表において桁が０に等しい場合は、対応する生成多項式が上記特別のソースシンボルに対しては使用されないことを意味する。表２から、生成多項式の幾つかはソースシンボルの各々に対しては使用されないことが分かる。該表における数の系列は、１、３、５又は６より長い入力シンボルの系列に対して各々周期的に継続されることが分かる。
【００２７】
表１が全レートチャンネル及び半レートチャンネルに関して音声エンコーダ１２のビットレート及びチャンネルエンコーダ１４のレートの値を示すことが分かる。どのチャンネルが使用されるかについての判断はシステム操作者によりなされ、別の制御チャンネル上で伝送することが可能な帯域外制御信号によりＴＲＡＵ２、ＢＴＳ４及び移動局６に通知される。チャンネルエンコーダ１４にも、信号ＲＵが供給される。
【００２８】
ブロックコーダ１８は、選択されたレートＲｄを移動局６へ送信すべくコード化するために存在する。このレートＲｄは、２つの理由により別のエンコーダにおいてコード化される。第１の理由は、上記移動局におけるチャンネルデコーダ２８に対し、新たなレートＲｄによりコード化されたデータが該チャンネルデコーダ２８に到達する前に、該新たなレートを通知するのが望ましいということである。第２の理由は、値Ｒｄが、チャンネルエンコーダ１４を用いて可能であるよりも、伝送エラーに対して一層良好に保護されるのが望ましいということである。コード化されたＲｄのエラー訂正特性を更に向上させるために、コードワードは別々のフレームで伝送される２つの部分に分割される。コードワードの斯かる分割は、より長いコードワードが選択されるのを可能にし、結果としてエラー訂正能力が更に改善される。ブロックコーダ１８は、全レートチャンネルが使用される場合には、２ビットで表されるコード化特性Ｒｄを、１６ビットのコードワードを有するブロックコードに従ってコード化されたコード化特性にコード化する。半レートチャンネルが使用される場合には、コード化特性のコード化には、８ビットのコードワードを有するブロックコードが用いられる。使用されるコードワードを、以下の表３および表４に示す。
【表３】
2010051014.tif 000006
【表４】
2010051014.tif 000007
【００２９】
表３及び表４から、全レートチャンネル用に使用されるコードワードは、半レートチャンネルに使用されるコードワードを繰り返すことにより得られ、結果としてエラー訂正特性が改善されることが分かる。半レートチャンネルでは、シンボルＣ０乃至Ｃ３は最初のフレームで送信され、ビットＣ４乃至Ｃ７は後続のフレームで送信される。全レートチャンネルにおいては、シンボルＣ０乃至Ｃ７が最初のフレームにおいて送信され、ビットＣ８乃至Ｃ１５は後続のフレームで送信される。
【００３０】
チャンネルエンコーダ１４及びブロックエンコーダ１８の出力は、大気インターフェース１０を介して時間分割多重で送信される。しかしながら、幾つかの信号を大気インターフェース１０を介して送信するためにＣＤＭＡを使用することもできる。移動局６においては、大気インターフェース１０から受信された信号は、チャンネルデコーダ２８と、ここではブロックデコーダ２６である他のチャンネルデコーダとに供給される。ブロックデコーダ２６は、前記Ｒｄビットにより表されるコード化特性を、コードワードＣ０…ＣＮにより表されるコード化されたコード化特性をデコードすることによって導出するように構成されており、ここで、半レートチャンネルに対してはＮは７であり、全レートチャンネルに対してはＮは１５である。
【００３１】
ブロックデコーダ２６は、４つの可能性のあるコードワードと、その入力信号との間の相関を計算するように構成されている。これは２つの処理でなされる。その理由は、上記コードワードは２つの連続したフレームの部分として送信されるからである。上記コードワードの最初の部分に対応する入力信号が受信された後、可能性のあるコードワードの最初の部分と入力値との間の相関値が計算され、記憶される。後続のフレームにおいて、上記コードワードの２番目の部分に対応する入力信号が受信された場合は、可能性のあるコードワードの２番目の部分と該入力信号との間の相関値が計算されて、先に記憶された相関値に加算され、これにより最終相関値を得る。全入力信号に対して最大の相関値を有するようなコードワードに対応するＲｄの値が、上記コード化特性を表す受信されたコードワードとして選択され、当該ブロックデコーダ２６の出力端に受け渡される。ブロックデコーダ２６の出力端は、チャンネルデコーダ２８における特性設定手段の制御入力端と音声デコーダ３０の制御入力端とに、チャンネルデコーダ２８のレート及び音声デコーダ３０のビットレートを前記信号ＲＤに対応する値に設定するために接続されている。
【００３２】
チャンネルデコーダ２８は該デコーダの入力信号をデコードし、第１出力端に音声デコーダ３０へのコード化された音声信号を供給する。
【００３３】
チャンネルデコーダ２８は、第２出力端に、フレームの誤った受信を示す信号ＢＦＩ（不良フレーム指示子）を供給する。このＢＦＩ信号は、該チャンネルデコーダ２８内のたたみ込みデコーダによりデコードされた信号の一部にわたりチェックサムを計算すると共に、該計算されたチェックサムと大気インターフェース１０から受信されたチェックサムの値とを比較することにより得られる。
【００３４】
音声デコーダ３０は、前記音声エンコーダ１２の音声信号の複製をチャンネルデコーダ２８の出力信号から導出するように構成されている。音声デコーダ３０は、チャンネルデコーダ２８からＢＦＩ信号が受信される場合は、先のフレームに対応する先に受信されたパラメータに基づいて音声信号を導出するように構成されている。該音声デコーダ３０は、複数の連続するフレームが不良フレームとして示される場合に、該デコーダの出力をミュートするように構成することができる。
【００３５】
チャンネルデコーダ２８は、第３の出力端にデコードされた信号Ｒｕを供給する。該信号ＲＵは、ここではアップリンクのビットレート設定であるようなコード化特性を表している。該信号Ｒｕはフレーム当たりに１ビット（ＲＱＩビット）を有している。逆フォーマッタ３４においては、連続するフレームにおいて受信された２つのビットを、２ビットにより表されるアップリンク用のビットレート設定Ｒｕ'に合成する。アップリンクに使用されるべき表１による可能性のうちの１つを選択する該ビットレート設定Ｒｕ'は、音声エンコーダ３６の制御入力端と、チャンネルエンコーダ３８の制御入力端と、ここではブロックエンコーダ４０であるような他のチャンネルエンコーダの入力端とに供給される。前記チャンネルデコーダ２８がＢＦＩ信号を送出することにより不良フレームを通知する場合は、デコードされた信号Ｒｕはアップリンクレートを設定するためには使用されない。その理由は、それは信頼性がないと見なされるからである。
【００３６】
チャンネルデコーダ２８は、更に、第４出力端に品質尺度ＭＭＤｄを供給する。この尺度ＭＭＤｄは、該チャンネルデコーダにヴィテルビデコーダが使用される場合は、容易に導出することができる。この品質尺度は、処理ユニット３２において一次フィルタによりフィルタされる。処理ユニット３２における該フィルタの出力信号に関しては：
【数２】
2010051014.tif 000008
と書くことができる。
【００３７】
チャンネルデコーダ２８のビットレート設定がＲｄの変化された値に応じて変化された後では、MMD'[n-1]の値は、新たに設定されるビットレート及び典型的なダウンリンクチャンネル品質のために、上記フィルタされたＭＭＤの長時間平均に対応する典型的な値に設定される。これは、異なる値のビットレートの間で切り換える場合に、過渡現象を低減するためになされる。
【００３８】
上記フィルタの出力信号は、２ビットを用いて品質指示子Ｑｄに量子化される。該品質指示子Ｑｄはチャンネルエンコーダ３８の第２入力端に供給される。該２ビットの品質指示子Ｑｄは、２フレーム毎に一度、各フレームの１つのビット位置を用いて伝送される。
【００３９】
移動局６における音声エンコーダ３６に供給される音声信号は、コード化されてチャンネルエンコーダ３８に受け渡される。チャンネルエンコーダ３８は該エンコーダの入力ビットに渡りＣＲＣ値を計算し、このＣＲＣ値を該エンコーダの入力ビットに付加し、該入力ビットとＣＲＣ値との合成を、信号Ｒｕ'により表１から選択されたたたみ込みコードに従ってコード化する。
【００４０】
ブロックエンコーダ４０は、２ビットにより表される信号Ｒｕ'を、半レートチャンネル又は全レートチャンネルが使用されるかに応じて表３又は表４に従いコード化する。ここでも、コードワードの半分のみが１つのフレーム内で送信される。
【００４１】
移動局６内のチャンネルエンコーダ３８及びブロックエンコーダ４０の出力信号は、大気インターフェース１０を介してＢＴＳ４に送信される。該ＢＴＳ４においては、上記のブロックコード化された信号Ｒｕ'は、ここではブロックデコーダ４２であるような他のチャンネルデコーダによりデコードされる。該ブロックデコーダ４２の動作は、前記ブロックデコーダ２６の動作と同一である。ブロックデコーダ４２の出力端には、信号Ｒｕ"により表されるデコードされたコード化特性が得られる。このデコードされた信号Ｒｕ"は、チャンネルデコーダ４４内のコード化特性設定手段に供給され、Ａビスインターフェースを介して音声デコーダ４８の制御入力端に受け渡される。
【００４２】
ＢＴＳ４においては、大気インターフェース１０を介して受信されたチャンネルエンコーダ３８からの信号は、チャンネルデコーダ４４に供給される。チャンネルデコーダ４４は、該デコーダの入力信号をデコードし、該デコードされた信号をＡビスインターフェース８を介してＴＲＡＵ２に受け渡す。チャンネルデコーダ４４は、アップリンクの伝送品質を表す品質尺度ＭＭＤｕを処理ユニット４６に供給する。該処理ユニット４６は、前記処理ユニット３２及び２２において実行されるものと同様のフィルタ処理を実行する。次いで、該フィルタ処理の結果は、２ビットに量子化され、Ａビスインターフェース８を介してＴＲＡＵ２に送信される。
【００４３】
システムコントローラ１６においては、判定ユニット２０が、アップリンクに使用されるべきビットレート設定Ｒｕを上記品質尺度ＱＵから決定する。通常の環境下では、音声エンコーダに割り当てられるチャンネル容量の部分は、チャンネル品質の増加に伴い増加するであろう。レートＲｕは２フレーム毎に一度送信される。
【００４４】
チャンネルデコーダ４４から受信された信号Ｑｄ'は、システムコントローラ１６内の処理ユニット２２に受け渡される。該処理ユニット２２においては、２つの連続するフレームで受信されたＱｄ'を表すビットが組み立てられ、該信号Ｑｄ'は前記処理ユニット３２内のローパスフィルタと同様の特性を持つ一次ローパスフィルタによりフィルタ処理される。
【００４５】
該フィルタ処理された信号Ｑｄ'は、ダウンリンクレートＲDの実際の値に依存する２つの閾値と比較される。該フィルタされた信号Ｑｄ'が上記閾値の最低のものより低い場合は、当該信号品質はレートＲｄに対しては低過ぎ、該処理ユニットは現在のレートよりも１段低いレートに切り換える。上記のフィルタされた信号Ｑｄ'が上記閾値の最高のものを超える場合は、当該信号品質はレートＲｄにとっては高過ぎるので、該処理ユニットは現在のレートよりも１段高いレートに切り換える。アップリンクレートＲｕに関して採る決定も、上記ダウンリンクレートＲｄに関して採る決定と同様である。
【００４６】
ここでも、通常の環境下では、音声エンコーダに割り当てられるチャンネル容量の部分は、チャンネル品質の増加に伴い増加するであろう。特別な環境下では、信号Ｒｄは移動局に対して再生信号を送信するために使用することもできる。この再生信号は、例えば、別の音声コード化／デコード及び／又はチャンネルコード化／デコードアルゴリズムが使用されるべきであることを示すことができる。この再生信号は、Ｒｄ信号の特別な所定の系列を用いてコード化することができる。Ｒｄ信号の該特別な所定の系列は、移動局内のエスケープ系列デコーダ３１により認識されるが、該デコーダは所定の（エスケープ）系列が検出された場合に、有効化された装置に再生信号を送出するように構成されている。該エスケープ系列デコーダ３１は、Ｒｄの連続する値がクロック入力されるシフトレジスタを有することができる。該シフトレジスタの内容を上記所定の系列と比較することにより、何時エスケープ系列が受信されたか、及び可能性のあるエスケープ系列のどれが受信されたかを容易に検出することができる。
【００４７】
コード化された音声信号を表すチャンネルデコーダ４４の出力信号は、Ａビスインターフェースを介してＴＲＡＵ２に送信される。該ＴＲＡＵ２においては、上記コード化された音声信号は音声デコーダ４８に供給される。チャンネルデコーダ４４の出力端におけるＣＲＣエラーの検出を示す信号ＢＦＩは、Ａビスインターフェース８を介して音声デコーダ４８に受け渡される。音声デコーダ４８は、前記音声エンコーダ３６の音声信号の複製を、チャンネルデコーダ４４の出力信号から導出するように構成されている。該音声デコーダ４８は、チャンネルデコーダ４４からＢＦＩ信号が受信される場合に、前記音声デコーダ３０において実行されたのと同様に、先のフレームに対応する先に受信された信号に基づいて音声信号を導出するように構成されている。該音声デコーダ４８は、複数の連続するフレームが不良フレームとして示される場合に、より進んだエラー隠蔽処理を実行するように構成することができる。
【００４８】
図２は、本発明による伝送システムにおいて使用されるフレームフォーマットを示している。音声エンコーダ１２又は３６は、伝送エラーに対して保護されるべきＣビットの群６０と、伝送エラーに対して保護する必要のないＵビットの群６４とを供給する。前記他の系列が該Ｕビットを有する。判定ユニット２０及び処理ユニット３２は、前述したような通知の目的で、フレーム毎に１ビットのＲＱＩ６２を供給する。
【００４９】
ビットの上記組合せはチャンネルエンコーダ１４又は３８に供給され、該エンコーダは先ず上記ＲＱＩビットとＣビットとの組合せに渡ってＣＲＣを算出し、８つのＣＲＣビットをＣビット６０及びＲＱＩビット６２の後に付加する。前記Ｕビットは上記ＣＲＣビットの算出には関与されない。Ｃビット６０とＲＱＩビット６２との組合せ６６及びＣＲＣビット６８は、たたみ込みコードに従ってコード化された系列７０にコード化される。前記コード化されたシンボルは、該コード化された系列７０を有する。上記Ｕビットは変化されないままである。
【００５０】
上記組合せ６６のビット数は、下記の表５に示されるように、当該たたみ込みエンコーダのレートと、使用されるチャンネルの型式とに依存する。
【表５】
2010051014.tif 000009
【００５１】
コード化特性を表す２つのＲＡビットは、コード化されたコード化特性を表すコードワード７４に、利用可能な伝送容量（半レート又は全レート）に応じて表３又は４に示されたコードに従ってコード化される。このコード化は２つのフレームにおいて一度だけ実行される。上記コードワード７４は２つの部分７６及び７８に分割され、現フレーム及び次のフレームにおいて送信される。
【図１】
2010051014.tif 000010
【図２】
2010051014.tif 000011
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
伝送チャンネルを介して受信機に結合された送信機を有する伝送システムであって、前記送信機がソースシンボルをコード化シンボルにコード化する主チャンネルエンコーダを備え、前記受信機が前記伝送チャンネルから受信した前記コード化シンボルから再生ソースシンボルを導出する主チャンネルデコーダを備え、前記主チャンネルエンコーダ及び前記主チャンネルデコーダが、前記送信機から前記受信機への同一の伝送ビットレートでの伝送を実現する複数のコード化特性の選択肢を有し、前記伝送システムが、前記同一の伝送ビットレートでの前記コード化シンボルの伝送のために前記主チャンネルエンコーダ及び前記主チャンネルデコーダが実際に使用するコード化特性を、前記複数のコード化特性の選択肢から選択し設定するためのコード化特性設定手段を有する伝送システムにおいて、
前記送信機が、前記主チャンネルエンコーダの選択された前記コード化特性を、前記主チャンネルエンコーダによる前記ソースシンボルのコード化よりも高い訂正特性をもたらすエラー訂正コード化によりコード化する、副チャンネルエンコーダを有し、前記送信機が、選択されコード化された前記コード化特性を前記受信機に送信し、
前記受信機が、選択されコード化された前記コード化特性をデコードすることにより、選択された前記コード化特性を得る副チャンネルデコーダを有し、該受信機が、デコードされた前記コード化特性に従って、前記主チャンネルデコーダのコード化特性を設定することを特徴とする伝送システム。
【請求項２】
前記複数のコード化特性の選択肢が、前記主チャンネルエンコーダのレートの複数の選択肢であることを特徴とする請求項１に記載の伝送システム。
【請求項３】
請求項１または２に記載の伝送システムにおいて、前記主チャンネルエンコーダもまた、エラー訂正コード化を行うものであることを特徴とする伝送システム。
【請求項４】
請求項１から３いずれか１項に記載の伝送システムにおいて、前記副チャンネルエンコーダはブロックエンコーダであり、前記副チャンネルデコーダはブロックデコーダであることを特徴とする伝送システム。
【請求項５】
請求項１から４いずれか１項に記載の伝送システムにおいて、前記コード化シンボルがフレームに配列され、前記送信機がコード化された前記コード化特性を少なくとも２つの部分に分離し、前記少なくとも２つの部分を、連続するフレームで送信することを特徴とする伝送システム。
【請求項６】
請求項１から５いずれか１項に記載の伝送システムにおいて、前記伝送システムは、前記受信機における前記主チャンネルデコーダから伝送品質尺度を導出する伝送品質決定手段と、さらなる伝送チャンネルを介して前記品質尺度を前記送信機へ送信する手段と、を有することを特徴とする伝送システム。
【請求項７】
ソースシンボルをコード化シンボルへコード化する主チャンネルエンコーダであって、当該送信機から受信機への同一の伝送ビットレートでの伝送を実現する複数のコード化特性の選択肢を有する主チャンネルエンコーダと、前記同一の伝送ビットレートでの前記コード化シンボルの伝送のために前記主チャンネルエンコーダが実際に使用するコード化特性を、前記複数のコード化特性の選択肢から選択し設定する特性設定手段と、を有する送信機において、
該送信機が、前記主チャンネルエンコーダの選択された前記コード化特性を、前記主チャンネルエンコーダによる前記ソースシンボルのコード化よりも高い訂正特性をもたらすエラー訂正コード化によりコード化する、副チャンネルエンコーダを有し、前記送信機が選択されコード化された前記コード化特性を送信することを特徴とする送信機。
【請求項８】
前記複数のコード化特性の選択肢が、前記主チャンネルエンコーダのレートの複数の選択肢であることを特徴とする請求項７に記載の送信機。
【請求項９】
請求項７または８に記載の送信機において、前記主チャンネルエンコーダもまた、エラー訂正コード化を行うものであることを特徴とする送信機。
【請求項１０】
請求項７から９いずれか１項記載の送信機において、前記副チャンネルエンコーダはブロックエンコーダであることを特徴とする送信機。
【請求項１１】
請求項７から１０いずれか１項に記載の送信機において、前記コード化シンボルがフレームに配列され、前記送信機がコード化された前記コード化特性を少なくとも２つの部分に分離し、前記少なくとも２つの部分を、連続するフレームで送信することを特徴とする送信機。
【請求項１２】
請求項７から１１いずれか１項に記載の送信機において、さらなる伝送チャンネルを介して伝送品質尺度を受信するように構成されていることを特徴とする送信機。
【請求項１３】
ソースシンボルをコード化シンボルへとコード化する主チャンネルエンコーダであって、送信機から受信機への同一の伝送ビットレートでの伝送を実現する複数のコード化特性の選択肢を有する主チャンネルエンコーダと、前記同一の伝送ビットレートでの前記コード化シンボルの伝送のために該主チャンネルエンコーダが実際に使用するコード化特性を、前記複数のコード化特性の選択肢から選択し設定する特性設定手段と、を有するＩＣにおいて、
該ＩＣは、前記主チャンネルエンコーダの選択された前記コード化特性を、前記主チャンネルエンコーダによる前記ソースシンボルのコード化よりも高い訂正特性をもたらすエラー訂正コード化によりコード化する、副チャンネルエンコーダを有し、該ＩＣが選択されコード化された前記コード化特性を送信することを特徴とするＩＣ。
【請求項１４】
前記複数のコード化特性の選択肢が、前記主チャンネルエンコーダのレートの複数の選択肢であることを特徴とする請求項１３に記載のＩＣ。
【請求項１５】
請求項１３または１４に記載のＩＣにおいて、前記主チャンネルエンコーダもまた、エラー訂正コード化を行うものであることを特徴とするＩＣ。
【請求項１６】
請求項１３から１５いずれか１項に記載のＩＣにおいて、前記副チャンネルエンコーダはブロックエンコーダであることを特徴とするＩＣ。
【請求項１７】
請求項１３から１６いずれか１項に記載のＩＣにおいて、前記コード化シンボルがフレームに配列され、前記ＩＣがコード化された前記コード化特性を少なくとも２つの部分に分離し、前記少なくとも２つの部分を、連続するフレームで送信することを特徴とするＩＣ。
【請求項１８】
請求項１３から１７いずれか１項に記載のＩＣにおいて、さらなる伝送チャンネルを介して伝送品質尺度を受信するように構成されていることを特徴とするＩＣ。
【請求項１９】
ソースシンボルをコード化シンボルにコード化する主コード化処理について、同一の伝送ビットレートでの前記コード化シンボルの伝送を実現する複数のコード化特性の選択肢から、該同一の伝送ビットレートでの伝送のために実際に使用するコード化特性を選択し設定するステップと、
前記ソースシンボルを前記コード化シンボルにコード化する前記主コード化処理を行うステップと、
選択された前記コード化特性を、前記主コード化処理よりも高い訂正特性をもたらすエラー訂正コード化によりコード化する、副コード化処理を行うステップと、
前記同一の伝送ビットレートの前記コード化シンボル、及び前記副コード化処理がなされた選択された前記コード化特性を、伝送チャンネルを介して送信するステップと、
前記コード化シンボル、及び前記副コード化処理がなされた選択された前記コード化特性を、前記伝送チャンネルから受信するステップと、
前記副コード化処理がなされた選択された前記コード化特性を、副デコード処理を用いてデコードするステップと、
受信されデコードされた前記コード化特性に従って、主デコード処理の一つ以上のコード化特性を設定するステップと、
前記伝送チャンネルから受信した前記主コード化処理がなされた前記コード化シンボルから、前記主デコード処理により、再生ソースシンボルを導出するステップと、を有することを特徴とする伝送方法。
【請求項２０】
前記複数のコード化特性の選択肢が、前記主コード化処理のレートの複数の選択肢であることを特徴とする請求項１９に記載の伝送方法。
【請求項２１】
請求項１９または２０に記載の伝送方法において、前記主コード化処理もまた、エラー訂正コード化であることを特徴とする伝送方法。
【請求項２２】
受信したコード化シンボルから再生ソースシンボルを導出する主チャンネルデコーダであって、送信機から当該受信機に同一の伝送ビットレートで伝送される前記コード化シンボルに対して複数のコード化特性の選択肢を有する主チャンネルデコーダと、前記同一の伝送ビットレートで受信された前記コード化シンボルに対して前記主チャンネルデコーダが実際に使用するコード化特性を設定するコード化特性設定手段とを有する受信機において、
該受信機が、受信したコード化されたコード化特性を、前記主チャンネルデコーダよりも高い訂正能力を有するエラー訂正デコードによりデコードする、副チャンネルデコーダを有し、
前記受信機が、前記副チャンネルデコーダがデコードして得たコード化特性に従って、前記主チャンネルデコーダが実際に使用する前記コード化特性を設定することを特徴とする受信機。
【請求項２３】
前記複数のコード化特性の選択肢が、前記主チャンネルデコーダのレートの複数の選択肢であることを特徴とする請求項２２に記載の受信機。
【請求項２４】
請求項２２または２３に記載の受信機において、前記主チャンネルデコーダもまた、エラー訂正デコードを行うものであることを特徴とする受信機。
【請求項２５】
請求項２２から２４いずれか１項に記載の受信機において、前記副チャンネルデコーダはブロックデコーダであることを特徴とする受信機。
【請求項２６】
請求項２２から２５いずれか１項に記載の受信機において、前記コード化シンボルがフレームに配列され、コード化された前記コード化特性が少なくとも２つの部分に分離され、前記受信機が、前記少なくとも２つの部分を、連続するフレームで受信することを特徴とする受信機。
【請求項２７】
請求項２２から２６いずれか１項に記載の受信機において、前記主チャンネルデコーダから伝送品質尺度を導出する伝送品質決定手段と、
さらなる伝送チャンネルを介して前記伝送品質尺度を送信する手段とを含むことを特徴とする受信機。
【請求項２８】
受信したコード化シンボルから再生ソースシンボルを導出する主チャンネルデコーダであって、送信機から受信機に同一の伝送ビットレートで伝送される前記コード化シンボルに対して複数のコード化特性の選択肢を有する主チャンネルデコーダと、前記同一の伝送ビットレートで受信された前記コード化シンボルに対して前記主チャンネルデコーダが実際に使用するコード化特性を設定するコード化特性設定手段とを有するＩＣにおいて、
該ＩＣが、受信したコード化されたコード化特性を、前記主チャンネルデコーダよりも高い訂正能力を有するエラー訂正デコードによりデコードする、副チャンネルデコーダを有し、
前記ＩＣが、前記副チャンネルデコーダがデコードして得たコード化特性に従って、前記主チャンネルデコーダが実際に使用する前記コード化特性を設定することを特徴とするＩＣ。
【請求項２９】
前記複数のコード化特性の選択肢が、前記主チャンネルデコーダのレートの複数の選択肢であることを特徴とする請求項２８に記載のＩＣ。
【請求項３０】
請求項２８または２９に記載のＩＣにおいて、前記主チャンネルデコーダもまた、エラー訂正デコードを行うものであることを特徴とするＩＣ。
【請求項３１】
請求項２８から３０いずれか１項に記載のＩＣにおいて、前記副チャンネルデコーダはブロックデコーダであることを特徴とするＩＣ。
【請求項３２】
請求項２８から３１いずれか１項に記載のＩＣにおいて、前記コード化シンボルがフレームに配列され、コード化された前記コード化特性が少なくとも２つの部分に分離され、前記ＩＣが、前記少なくとも２つの部分を、連続するフレームで受信することを特徴とするＩＣ。
【請求項３３】
請求項２８から３２いずれか１項に記載のＩＣにおいて、前記主チャンネルデコーダから伝送品質尺度を導出する伝送品質決定手段と、
さらなる伝送チャンネルを介して前記伝送品質尺度を送信する手段とを含むことを特徴とするＩＣ。
【請求項３４】
受信したコード化されたコード化特性をデコードするステップと、
デコードして得られた前記コード化特性に従って、送信機から受信機に同一の伝送ビットレートで伝送されるコード化シンボルに対して複数のコード化特性の選択肢を有するチャンネルデコーダにおいて、実際に使用するコード化特性を設定するステップと、
前記チャンネルデコーダを用いて、前記同一の伝送ビットレートで受信したコード化シンボルから再生ソースシンボルを導出するステップとを有し、
前記デコードするステップが、前記チャンネルデコーダよりも高い訂正能力を有するエラー訂正デコードにより、前記コード化されたコード化特性をデコードするステップであることを特徴とするデコード方法。
【請求項３５】
受信したコード化されたコード化特性をデコードする処理、
デコードして得られた前記コード化特性に従って、送信機から当該受信機に同一の伝送ビットレートで伝送されるコード化シンボルに対して複数のコード化特性の選択肢を有するチャンネルデコーダにおいて、実際に使用するコード化特性を設定する処理、および
前記チャンネルデコーダを用いて、前記同一の伝送ビットレートで受信したコード化シンボルから再生ソースシンボルを導出する処理を行うように構成されており、
前記デコードする処理が、前記チャンネルデコーダよりも高い訂正能力を有するエラー訂正デコードにより、前記コード化されたコード化特性をデコードする処理であることを特徴とする受信機。
【外国語明細書】
2010051014000001.pdf